(57)【要約】【課題】  イジェクトレバーロック機構がイジェクトレバーに係合する際に浮き上がるのを防止する。【解決手段】  イジェクトレバーロック解除機構１０９は、ディスクカートリッジ１をカートリッジホルダ１０２に挿入して該カートリッジホルダをカートリッジ挿抜位置から記録再生位置に移動させるとイジェクトレバー操作部１０９ｄがイジェクトレバー１０５に係合し、カートリッジホルダをカートリッジ挿抜位置から記録再生位置に移動させるとイジェクトレバー操作部１０９ｄがイジェクトレバーを押し上げてイジェクトレバーロック部材１０８によるイジェクトレバー１０５のロックを解除する。イジェクトレバーロック解除機構１０９は、イジェクトレバー操作部１０９ｄがイジェクトレバーに係合する際にイジェクトレバーによって押し上げられて浮き上がるのを防止する浮き上がり防止部１０９ｅを備えている。【選択図】  図１
2008041126.tif 000002
【特許請求の範囲】
【請求項１】
カートリッジをカートリッジホルダに挿入して該カートリッジホルダをカートリッジ挿抜位置から記録再生位置に移動させるとイジェクトレバー操作部がイジェクトレバーに係合し、上記カートリッジホルダをカートリッジ挿抜位置から記録再生位置に移動させると上記イジェクトレバー操作部が上記イジェクトレバーを押し上げてイジェクトレバーロック部材による上記イジェクトレバーのロックを解除するイジェクトレバーロック解除機構において、
上記イジェクトレバー操作部がイジェクトレバーに係合する際に該イジェクトレバーで押されて浮き上がるのを防止する浮き上がり防止部を備えていることを特徴とするイジェクトレバーロック解除機構。
【請求項２】
上記浮き上がり防止部は、イジェクトレバー操作部の上部に、該イジェクトレバー操作部と一体的に形成されていることを特徴とする請求項１に記載のイジェクトレバーロック解除機構。
【請求項３】
上記イジェクトレバーロック解除機構は、上記カートリッジホルダの側面に止着されるホルダへの取付部と、該取付部に連続し上記カートリッジホルダの上面に重ね合わせるホルダへの重合部と、該重合部に連続し上記カートリッジホルダの上面に設けた切欠窓部から上記カートリッジホルダ内に侵入して上記シャーシ側に伸びる弾性片部と、該弾性片部の先端部に設けられたイジェクトレバー操作部と、を備え、
上記浮き上がり防止部は、上記重合部の弾性片部側の端部から突出して上記カートリッジホルダの下面に当接していることを特徴とする請求項２に記載のイジェクトレバーロック解除機構。
【請求項４】
上記重合部は、上記ホルダ接触部と上記弾性片部との間にスリットを備え、該スリットにより上記ホルダ接触部に弾性を付与していることを特徴とする請求項３に記載のイジェクトレバーロック解除機構。
【請求項５】
上記カートリッジホルダは、上記ホルダ接触が接触する部分に該ホルダ接触部と略直交する方向に伸びるリブ状の膨出部を備えていることを特徴とする請求項３に記載のイジェクトレバーロック解除機構。
【請求項６】
上記ホルダ接触部は、上記カートリッジホルダに挿入されたディスクカートリッジの円弧状の前面と上記カートリッジホルダの側面との間の空間部に配置されていることを特徴とする請求項３に記載のイジェクトレバーロック解除機構。
【請求項７】
カートリッジをカートリッジホルダに挿入して該カートリッジホルダをカートリッジ挿抜位置から記録再生位置に移動させるとイジェクトレバー操作部がイジェクトレバーに係合し、上記カートリッジホルダをカートリッジ挿抜位置から記録再生位置に移動させると上記イジェクトレバー操作部が上記イジェクトレバーを押し上げてイジェクトレバーロック部材による上記イジェクトレバーのロックを解除するイジェクトレバーロック解除機構を備えたディスク記録及び／又は再生装置において、
上記イジェクトレバーロック解除機構は、上記イジェクトレバー操作部がイジェクトレバーに係合する際にイジェクトレバー操作部がイジェクトレバーによって押し上げられて浮き上がるのを防止する浮き上がり防止部を備えていることを特徴とするディスク記録及び／又は再生装置。
【発明の詳細な説明】
【技術分野】
【０００１】
本発明は、カートリッジホルダを記録再生位置からカートリッジ挿抜位置に移動させることによりイジェクトレバーのロックを解除して、該イジェクトレバーをバネ等の付勢部材により戻り回動させてディスクカートリッジをカートリッジホルダから排出するイジェクトレバーロック解除機構および該イジェクトレバーロック解除機構を備えたディスク記録及び／又は再生装置に関するものである。
【背景技術】
【０００２】
イジェクトレバーのロックを解除するイジェクトレバーロック解除機構を備えたディスク記録及び／又は再生装置として図２１〜図２５に示すものが知られている。
【０００３】
図２１に示すように、上記ディスク記録及び／又は再生装置３０１は、カートリッジホルダ３０２がカートリッジ挿抜位置に在る状態（カートリッジホルダ３０２がシャーシ３０３に対して所定の傾斜角度で傾斜している状態）において、カートリッジホルダ３０２にディスクカートリッジ１を挿入するようになっている。
【０００４】
ディスクカートリッジ１を挿入すると、カートリッジ本体３の前面３ａでイジェクトレバー３０４の被押圧部３０４ａが押され、イジェクトレバー３０４は、軸３０５を中心にして引張りコイルバネ３０６のバネ力に抗して時計方向に回動する。
【０００５】
上記イジェクトレバー３０４は、ディスクカートリッジ１により押されて所定の角度以上回動する前はシャーシ３０３上に突出形成したイジェクトレバー係止手段としての回動阻止用の凸部３０７上に覆い被さっていて、引張りコイルバネ３０６によって上記凸部３０７の上端に押し付けられていて、イジェクトレバー回動阻止用の凸部３０７上をスライド移動可能になっている。
【０００６】
図２２に示すように、ディスクカートリッジ１をカートリッジホルダ３０２内に収納すると、イジェクトレバー３０４が所定の角度回動して、イジェクトレバー３０４の上記イジェクトレバー回動阻止用の凸部３０７上への乗り上げが解除され、イジェクトレバー３０４は、引張りコイルバネ３０６のバネ力によってシャーシ３０３上面に重なる。そして、上記凸部３０７がイジェクトレバー３０４の外側面３０４ｂに係合して、イジェクトレバー３０４の戻り回動が阻止される。カートリッジホルダ３０２にはイジェクトレバーロック解除機構３０８が設けられている。
【０００７】
図２３に示すように、ディスクカートリッジ１を挿入してカートリッジホルダ３０２をカートリッジ挿抜位置から記録再生位置に移動させると、図２４に示すように、イジェクトレバーロック解除機構３０８のイジェクトレバー操作部３０８ａがイジェクトレバー３０４の被操作部３０４ｃの側面３０４ｄに接触して矢印Ａ方向に撓み、カートリッジホルダ３０２が記録再生位置に移動して来ると、図２５に示すように、イジェクトレバー操作部３０８ａとイジェクトレバー３０４の被操作部３０４ｃの側面３０４ｄとの係合が解除されて、イジェクトレバー操作部３０８ａが元の位置に復帰して、イジェクトレバー操作部３０８ａが被操作部３０４ｃの下面３０４ｅに係合する。
【０００８】
このようにして、カートリッジホルダ３０２を記録再生位置に移動させた状態で記録再生が行われる。記録再生終了後にカートリッジホルダ３０２を、カートリッジ挿抜位置に移動させると、イジェクトレバーロック解除機構３０８のイジェクトレバー操作部３０８ａによってイジェクトレバー３０４が持ち上げられて、上記イジェクトレバー回動阻止用の凸部３０７によるイジェクトレバー３０４の係合（ロック）が解除されて、イジェクトレバー３０４は引張りコイルバネ３０６によって反時計方向に戻り回動してカートリッジホルダ３０２からディスクカートリッジ１を押し出す。
（例えば、特許文献１参照）
【特許文献１】特開２００５−３２２２８８号公報
【発明の開示】
【発明が解決しようとする課題】
【０００９】
ところで、上記従来のディスク記録及び／又は再生装置においては、上述したように、ディスクカートリッジ１を挿入してカートリッジホルダ３０２を記録再生位置に移動させる際に、図２４に示すように、イジェクトレバーロック解除機構３０８のイジェクトレバー操作部３０８ａがイジェクトレバー３０４の被操作部３０４ｃの側面３０４ｄに接触して矢印Ａ方向に撓むのと同時に、イジェクトレバー操作部３０８ａはイジェクトレバー３０４で矢印Ｂ方向に押されて所謂浮き上がった状態になる。このため、浮き上がった分だけイジェクトレバー操作部３０８ａがイジェクトレバー３０４の被操作部３０４ｃに係合するタイミングが遅れ、最悪の場合にはカートリッジホルダ３０２を閉じてもイジェクトレバー操作部３０８ａがイジェクトレバー３０４の被操作部３０４ｃに係合できなくなるという危険性がある。
【００１０】
また、イジェクトレバー操作部３０８ａがイジェクトレバー３０４の被操作部３０４ｃに係合するタイミングを早めるために、イジェクトレバー操作部３０８ａの位置を伸ばすと係止解除のタイミングが遅れ、最悪の場合はカートリッジホルダ３０２を開いても上記イジェクトレバー回動阻止用の凸部３０７によるイジェクトレバー３０４の係合が解除されない場合が発生するという危険性がある。
【００１１】
本発明の目的は、イジェクトレバーの被操作部に係合する際におけるイジェクトレバー操作部の浮き上がりを防止して、浮き上がりが原因で起こるイジェクトレバー操作部がイジェクトレバーの被操作部に係合するタイミングの遅れの発生を抑制することのできるイジェクトレバーロック解除機構およびディスク記録及び／又は再生装置を提供することにある。
【課題を解決するための手段】
【００１２】
本発明は、カートリッジをカートリッジホルダに挿入して該カートリッジホルダをカートリッジ挿抜位置から記録再生位置に移動させるとイジェクトレバー操作部がイジェクトレバーに係合し、上記カートリッジホルダをカートリッジ挿抜位置から記録再生位置に移動させると上記イジェクトレバー操作部が上記イジェクトレバーを押し上げてイジェクトレバーロック部による上記イジェクトレバーのロックを解除するイジェクトレバーロック解除機構において、
上記イジェクトレバー操作部がイジェクトレバーに係合する際にイジェクトレバー操作部がイジェクトレバーによって押し上げられて浮き上がるのを防止する浮き上がり防止部を設け、
上記イジェクトレバー操作部がイジェクトレバーに係合する際に発生する分力でイジェクトレバーロック解除機構が持ち上げられて浮き上がるのを防止した。
【発明の効果】
【００１３】
上記イジェクトレバー操作部がイジェクトレバーに係合する際に、その分力でイジェクトレバーロック解除機構が浮き上がる（持ち上げられる）のを上記浮き上がり防止部で阻止する。
【００１４】
従って、イジェクトレバーロック解除機構の浮き上がりが原因で起こるイジェクトレバー操作部がイジェクトレバーの被操作部に係合するタイミングの遅れの発生を抑制し、上記浮き上がり防止部を設けていないイジェクトレバーロック解除機構に較べてロックのタイミングを早くすることができる。
【発明を実施するための最良の形態】
【００１５】
以下、本発明を（１）ディスク記録及び／又は再生装置全体の概略構成、（２）イジェクトレバーロック解除機構の構成、（３）イジェクトレバー、イジェクトレバー付勢部材およびイジェクトレバーロック部材の構成、（４）ディスクカートリッジの構成、（５）カートリッジホルダの構成、（６）シャーシの構成、（７）記録及び／又は再生装置の構成、（８）その他の構成、（９）作用、の順に説明する。
【００１６】
（１）ディスク記録及び／又は再生装置全体の概略構成、
図１はカートリッジホルダ１０２がカートリッジ挿抜位置に在る状態のディスク記録及び／又は再生装置１０１の斜視図、図２はカートリッジホルダ１０２にディスクカートリッジ１を挿入した状態のディスク記録及び／又は再生装置の斜視図、図３はカートリッジホルダ１０２が記録再生位置に在る状態のディスク記録及び／又は再生装置の斜視図、図４は裏面側から見た平面図、図５は分解斜視図である。
【００１７】
ディスク記録及び／又は再生装置１０１は、ディスクカートリッジ１を挿入、保持するカートリッジホルダ１０２と、カートリッジホルダ１０２をカートリッジ挿抜位置と記録再生位置の相互間で移動可能に支持しているシャーシ１０３と、シャーシ１０３に設けられていてディスクカートリッジ１の記録及び／又は再生を行なう記録及び／又は再生装置１０４と、シャーシ１０３にディスクカートリッジ１の挿抜方向に回動移動（以下、単に回動と称する）可能に、且つシャーシ１０３に対して接離方向に移動可能に設けられていてカートリッジホルダ１０２に挿入されてきたディスクカートリッジ１によって押されて回動するイジェクトレバー１０５と、イジェクトレバー１０５にディスクカートリッジ排出方向の回動力およびシャーシ１０３に接近する方向の力を付与している付勢手段としての第１の付勢部材１０６と、イジェクトレバー１０５にイジェクト途中において上記第１の付勢部材１０６の回動力を弱める方向の付勢力をイジェクトレバー１０５付与する第２の付勢部材１０７と、ディスクカートリッジ１の挿入によって回動されたイジェクトレバー１０５をシャーシ１０３にロック（位置決め係止）するイジェクトレバーロック部材１０８と、上記カートリッジホルダ１０２を記録再生位置からカートリッジ挿抜位置に回動させたときにイジェクトレバーロック部材１０８によるイジェクトレバー１０５のロック（係止）を解除するイジェクトレバーロック解除機構１０９と、を備えている。上記イジェクトレバーロック解除機構１０９は、板バネ材等によって上記カートリッジホルダ１０２とは別個に形成されていて上記カートリッジホルダ１０２に取付けられている。
【００１８】
図１に示すように、カートリッジホルダ１０２がカートリッジ挿抜位置に在る状態（カートリッジホルダ１０２がシャーシ１０３に対して所定の傾斜角度で傾斜している状態）において、カートリッジホルダ１０２にディスクカートリッジ１を挿入すると、ディスクカートリッジ１の前面でイジェクトレバー１０５の被押圧部１０５ｃが押され、イジェクトレバー１０５は、軸１０５ｆを中心にして第１の付勢部材１０６の付勢力に抗して時計方向に回動する。イジェクトレバー１０５は、ディスクカートリッジ１により押されて回動する前はイジェクトレバーロック部材１０８上に覆い被さっていて、第１の付勢部材１０６の付勢力によってイジェクトレバーロック部材１０８の上端に押し付けられている。
【００１９】
図２に示すように、ディスクカートリッジ１をカートリッジホルダ１０２の所定の位置まで挿入すると、イジェクトレバー１０５のイジェクトレバーロック部材１０８上への乗り上げが解除され、イジェクトレバー１０５は、第１の付勢部材１０６の付勢力によってシャーシ１０３上面に重なる。そして、イジェクトレバーロック部材１０８がイジェクトレバー１０５の外側面１０５ｇに係合して、イジェクトレバー１０５の戻り回動が阻止される。
【００２０】
図３に示すように、ディスクカートリッジ１を挿入してカートリッジホルダ１０２を記録再生位置に移動させると、図７に示すように、イジェクトレバーロック解除機構１０９の係合部１０９ｇがイジェクトレバー１０５に係合する。
【００２１】
このように、カートリッジホルダ１０２を記録再生位置に移動させた状態で記録再生が行われる。記録再生終了後にカートリッジホルダ１０２を、カートリッジ挿抜位置に移動させると、図８のＣに示すように、イジェクトレバーロック解除機構１０９の係合部１０９ｇによってイジェクトレバー１０５が持ち上げられて、イジェクトレバーロック部材１０８によるイジェクトレバー１０５の係合（ロック）が解除されて、イジェクトレバー１０５は第１の付勢部材１０６によって反時計方向に戻り回動してカートリッジホルダ１０２からディスクカートリッジ１を押し出す。
【００２２】
（２）イジェクトレバーロック解除機構の構成、
イジェクトレバーロック解除機構１０９は、その機能上、ラチェット機構とも称される。イジェクトレバーロック解除機構１０９は、板バネ材によってカートリッジホルダ１０２とは別個に形成されていてカートリッジホルダ１０２に取付けられている。
【００２３】
図９，図１０に示すように、イジェクトレバーロック解除機構１０９は、カートリッジホルダ１０２の側面に取付け固定（止着）される取付部（止着部）１０９ａと、該取付部１０９ａに対して略直角に折り曲げた状態で連続し上記カートリッジホルダ１０２の上面１０２ａを凹ませることにより形成したロック解除機構取付部１０２ｊの上面に重ね合わせる重合部１０９ｂと、該重合部１０９ｂに対して鋭角θ１（略８０°）に折り曲げた状態で連続しカートリッジホルダ１０２の上面板１０２ａに設けた切欠窓部１０２ｋからカートリッジホルダ１０２内に侵入してシャーシ１０３側に伸びる弾性片部１０９ｃと、該弾性片部１０９ｃに対して鈍角θ２（略１６０°）折り曲げた状態で連続するイジェクトレバー操作部１０９ｄと、イジェクトレバー操作部１０９ｄがイジェクトレバー１０５に係合する際に押し上げられて浮き上がるのを防止する浮き上がり防止部１０９ｅと、を備えている。浮き上がり防止部１０９ｅは、重合部１０９ｂの弾性片部１０９ｃ側の一端部を重合部１０９ｂに対して略平行に、或いは上方に向けて僅かに傾斜させた状態で突出させることにより形成されていて、カートリッジホルダ１０２の上面板１０２ａの下面に当接する。
【００２４】
イジェクトレバー操作部１０９ｄは、後に詳しく説明するイジェクトレバー１０５の被操作部１０５ｅの側面１０５ｈで押圧されて弾性片部１０９ｃを撓ませる傾斜面部１０９ｆと、上記被操作部１０５ｅの側面１０５ｈによる上記傾斜面部１０９ｆの押圧が解除されて上記弾性片部１０９ｃが戻り移動したときに上記被操作部１０５ｅの下面１０５ｉに係合する係合部１０９ｇを備えている。
【００２５】
図１０に示すように、上記弾性片部１０９ｃは、上記イジェクトレバーロック解除機構取付部１０２ｊの下面に設けた弾性片位置決め部１０２ｍに押し付けられて略直角になるように折り曲げられて所謂予圧が付与されているとともに、所定の位置に位置決めされた状態になっている。上記イジェクトレバーロック解除機構１０９は、所定の形状に打ち抜いたバネ板材を折り曲げることにより形成されている。
【００２６】
図６に示すように、上記イジェクトレバー操作部１０９ｄは、上記カートリッジホルダ１０２をカートリッジ挿抜位置から記録再生位置に移動させる過程で、後に詳しく説明するイジェクトレバー１０５の被操作部１０５ｅの側面１０５ｈで上記傾斜面部１０９ｆを押圧されて逃げ方向（図６のＢに示す矢印Ａ方向）に移動する。
【００２７】
上記カートリッジホルダ１０２がカートリッジ記録再生位置に移動すると、図８に示すように、上記被操作部１０５ｅの側面１０５ｈによる上記傾斜面部１０９ｆの押圧が解除されて上記弾性片部１０９ｃが戻り移動、すなわち弾性復帰して、上記被操作部１０５ｅの下面１０５ｉに上記係合部１０９ｇが係合する。
【００２８】
図９に示すように、上記浮き上がり防止部１０９ｅは、重合部１０９ｂの弾性片部１０９ｃ側の端部から上記重合部１０９ｂに対してやや上向きに傾斜した状態で延びて上記カートリッジホルダ１０２の下面に当接している。
【００２９】
上記重合部１０９ｂには、上記浮き上がり防止部１０９ｅと上記弾性片部１０９ｃとの間にスリット１０９ｈが形成されていて、該スリット１０９ｈにより上記浮き上がり防止部１０９ｅに適度の弾性を付与している。
【００３０】
上記浮き上がり防止部１０９ｅは、上記カートリッジホルダ１０２の上面１０２ａを下方に向けて凹ませることにより形成したリブ状の膨出部１０２ｓに接触している。上記リブ状の膨出部１０２ｓは、上記浮き上がり防止部１０９ｅと略直交する方向に伸びてカートリッジホルダ１０２の浮き上がり防止部１０９ｅが接触する部分の機械的強度を向上させている。
【００３１】
上記イジェクトレバーロック解除機構１０９は、図２に示すように、上記カートリッジホルダ１０２に挿入されたディスクカートリッジ１の円弧状の前面と、上記カートリッジホルダ１０２の一側面および前面とで構成される略三角形状のデッドスペースとしての遊び空間に配置されている。上記浮き上がり防止部１０９ｅは、ディスクカートリッジ挿入方向の最も奥端側に設けられている。
【００３２】
イジェクトレバーロック解除機構１０９は、上述のような構成であって、ディスクカートリッジ１を挿入してカートリッジホルダ１０２を記録再生位置に移動させる際に、図６に示すように、イジェクトレバーロック解除機構１０９のイジェクトレバー操作部１０９ｄがイジェクトレバー１０５の被操作部１０５ｅの側面１０５ｈに接触して矢印Ａ方向に撓むのと同時に、イジェクトレバーロック解除機構１０９を矢印Ｂ方向に押し上げて、重合部１０９ｂをカートリッジホルダ３０２の上面１０２から浮き上がらせる方向の力が作用するが、上記浮き上がり防止部１０９ｅが上記カートリッジホルダ１０２の下面に接触しているのでイジェクトレバーロック解除機構１０９の押し上げは抑制される。
【００３３】
また、記録及び／又は再生終了後において上記カートリッジホルダ１０２をカートリッジ挿抜位置から記録再生位置に移動させる際には、図８，図９に示すように、上記イジェクトレバーロック解除機構１０９のイジェクトレバー操作部１０９ｄによりイジェクトレバー１０５の被操作部１０５ｅの下面１０５ｉが持ち上げられてイジェクトレバー１０５が上記シャーシ１０３の上面から浮き上がり、上記イジェクトレバーロック部材１０８による上記イジェクトレバー１０５の係止が解除され、上記イジェクトレバー１０５は、第１の付勢部材１０６の付勢力で回動して、ディスクカートリッジ１をカートリッジホルダ１０２から押し出す。
【００３４】
（３）イジェクトレバー、イジェクトレバー付勢部材およびイジェクトレバーロック部材の構成、
イジェクトレバー１０５は、ディスクカートリッジ１を挿入時において、カートリッジ本体３の前面３ａで押されて次に説明する第１の付勢部材１０６の付勢力に抗して回動し、後に説明するイジェクトレバーロック部材１０８により戻り回動不可能にロック（係止）され、記録及び／又は再生終了後に、上記イジェクトレバーロック部材１０８によるロックを、先に説明したイジェクトレバーロック解除機構１０９によって解除されて上記第１の付勢部材１０６の付勢力により戻り回動して上記カートリッジホルダ１０２からディスクカートリッジ１を排出させる。
【００３５】
図５に示すように、上記イジェクトレバー１０５は、上記シャーシ１０３の上面に重ね合わせる略Ｖ字状の平板状主部１０５ａと、該平板状主部１０５ａの一端側にアーム部１０５ｂを介して設けられていてディスクカートリッジ１のカートリッジ本体３の前面３ａで押圧される被押圧部１０５ｃと、上記平板状主部１０５ａの他端側に設けられた軸受孔１０５ｄと、上記軸受孔１０５ｄを介して上記被押圧部１０５ｃと略対称位置に設けられていて上記イジェクトレバーロック解除機構１０９のイジェクトレバー操作部１０９ｄによってロック解除操作される被操作部１０５ｅと、を備えている。
【００３６】
上記イジェクトレバー１０５は、軸１０５ｆにより回動可能に上記シャーシ１０３の上面に取付けられていて、上記カートリッジホルダ１０２内に挿入されてきたディスクカートリッジ１のカートリッジ本体３の前面３ａの中央部が上記被押圧部１０５ｃに当接する。また、上記イジェクトレバー１０５は、上記軸１０５ｆによって上記平板状主部１０５ａを上記イジェクトレバーロック部材１０８によるロックを解除可能な位置まで浮き上がらせることができるように上記シャーシ１０３の上面に取付けられている。上記イジェクトレバー１０５は、第１の付勢部材１０６によりディスクカートリッジ排出方向の回動力を付与されていると共に、シャーシ１０３側に牽引されている。
【００３７】
第１の付勢部材１０６には、引張りコイルバネが用いられている。また、第２の付勢部材１０７には、コイルスプリングが用いられている。
【００３８】
図６に示すように、第１の付勢部材１０６は、上記シャーシ１０３の下面側に配置されていて一端側が上記シャーシ１０３に設けた第１のスプリング係止部２０１に係止され、他端側が上記イジェクトレバー１０５に設けた第２のスプリング係止部２０２に係止されている。上記第２のスプリング係止部２０２は、シャーシ１０３に設けた切欠孔部２０３からシャーシ１０３の下面側に突出している。
【００３９】
第２の付勢部材１０７は、イジェクトレバー１０５の回動中心軸１０５ｆの外周に取付けられていて、一端側がイジェクトレバー１０５に係止され、他端側がシャーシ１０３に係止される。
【００４０】
イジェクトレバーロック部材１０８は、第１の付勢部材１０６に抗してイジェクトレバー１０５をディスクカートリッジ１がカートリッジホルダ１０２内に完全に収納される位置まで回動させたときに、上記イジェクトレバー１０５の平板状主部１０５ａの外側面１０５ｇに係合して、上記イジェクトレバー１０５を戻り回動不可能に係止する。
【００４１】
イジェクトレバーロック部材１０８は、シャーシ１０３の上面にボス状の凸部を設けることにより形成されている。上記イジェクトレバーロック部材１０８は、上記第１の付勢部材１０６の付勢力に抗して上記イジェクトレバー１０５の平板状主部１０５ａをシャーシ１０３から浮き上がらせた状態にすると上記イジェクトレバー１０５の平板状主部１０５ａの外側面１０５ｇとの係合が外れるようになっている。上記イジェクトレバーロック部材１０８との係合が外れたイジェクトレバー１０５は、平板状主部１０５ａが上記イジェクトレバーロック部材１０８上に乗り上げて回動し、カートリッジホルダ１０２からディスクカートリッジ１を排出させる。
【００４２】
イジェクトレバー１０５は、上述のような構成であって、図１に示すように、カートリッジ挿抜位置（カートリッジホルダ１０２を上記シャーシ１０３に対して所定の傾斜角度θに傾斜させた状態）において上記カートリッジホルダ１０２にディスクカートリッジ１を挿入した場合に、カートリッジ本体３の前面３ａで上記被押圧部１０５ｃが押されて第１の付勢部材１０６の付勢力に抗して回動し、上記カートリッジホルダ１０２にディスクカートリッジ１が完全に収納された状態になると、図２に示すように、イジェクトレバー１０５は、平面状主部１０５ａの外側面１０５ｇにイジェクトレバーロック部材１０８が係合して戻り回動不可能に係止され、図３に示すように、上記カートリッジホルダ１０２を記録再生位置に移動させた場合でも上記カートリッジホルダ１０２を戻り回動不可能に維持する。そして、記録及び／又は再生終了後に、上記カートリッジホルダ１０２を記録再生位置からカートリッジ挿抜位置に回動させると、図９，図１０に示すように、上記イジェクトレバーロック解除機構１０９により上記イジェクトレバーロック部材１０８によるイジェクトレバー１０５の係止を解除する。従って、上記イジェクトレバー１０５は、第１の付勢部材１０６の付勢力により戻り回動して上記カートリッジホルダ１０２からディスクカートリッジ１を排出させる。
【００４３】
（４）ディスクカートリッジの構成、
図１９はディスクカートリッジ１を上ハーフ側から見た斜視図、図２０はディスクカートリッジ１を下ハーフ側から見た斜視図である。
【００４４】
ディスクカートリッジ１は、ディスク状記録媒体２と、上記ディスク状記録媒体２を円形状のディスク収納部内に回転可能に収納しているとともに、上記ディスク状記録媒体２の一部を外部に臨ませる記録及び／又は再生用開口部３４を設けたカートリッジ本体３と、を備えている。ディスクカートリッジ１は、記録及び／又は再生用開口部３４を開閉するシャッタを具備しない所謂シャッタレスディスクカートリッジとして構成されている。
【００４５】
図２０に示すように、上記ディスク状記録媒体２は、ゲーム用のソフト等が記録された光ディスク２１の中央部にチャッキング用のハブ２２を取付けることにより構成されている。上記光ディスク２１は、直径５０mm程度の小径に形成されている。上記チャッキング用のハブ２２は、マグネットに吸引されるステンレス等の磁性金属により形成されている。
【００４６】
上記カートリッジ本体３は、上，下ハーフ３１，３２の周壁を突き合わせることにより形成されている。上記カートリッジ本体３は、前面３ａ（後に説明するディスク記録及び／又は再生装置への挿入端側の側面）が上記光ディスク２１と略同じ曲率半径の円弧状面（半円形状面）に形成され、上記前面３ａに連続する左右の側面３ｂ，３ｃは、互いに平行するフラット面に形成され、上記前面３ａに対向する背面３ｄは、上記左右の第１，第２の側面３ｂ，３ｃに連続するなだらかに連続する湾曲面に形成されている。
【００４７】
上記下ハーフ３２の中央部には、上記ディスク状記録媒体２のハブ２２を外部に臨ませる駆動用開口部３３が設けられている。また、上記駆動用開口部３３の近傍から上記第２の側面３ｃに亘って、上記ディスク状記録媒体２の光ディスク２１の情報記録面を外部に臨ませる記録及び／又は再生用開口部３４が設けられている。
【００４８】
図１９に示すように、上記ディスクカートリッジ１は、カートリッジ本体３の第１の側面３ｂに、ディスクカートリッジ１のカートリッジホルダ１０２への収納完了時において、次に説明するカートリッジホルダ１０２の第１の側面板１０２ｂ（図１参照）に設けたカートリッジ脱落防止部材２１１の凸部２１３が嵌合して該凸部２１３を上記ディスクカートリッジ１のカートリッジ本体３の第１の側面３ｂに対して非接触状態にして上記カートリッジ脱落防止部材２１１によるカートリッジホルダ１０２への側圧を除去するための第１の側圧解除用の凹部４１を備えている。
【００４９】
また、図２０に示すように、上記ディスクカートリッジ１は、カートリッジ本体３の第２の側面３ｃに、ディスクカートリッジ１をカートリッジホルダ１０２へ挿入する際にカートリッジホルダ１０２の第２の側面板１０２ｃ（図１６参照）に設けたカートリッジ挿入ガイド用の凸部２１４が侵入して、ディスクカートリッジ１の挿入をガイドするガイド溝４２と、カートリッジホルダ１０２へのディスクカートリッジ１の収納完了時において、上記カートリッジ挿入ガイド用の凸部２１４が嵌合して、該凸部２１４を上記ディスクカートリッジ１のカートリッジ本体３の第２の側面３ｃに対して非接触状態にして、上記カートリッジ挿入ガイド用の凸部２１４によるカートリッジホルダ１０２への側圧を除去するための第２の側圧解除用の凹部４３と、を備えている。
【００５０】
上記駆動用開口部３３を介して上記ディスク状記録媒体２のハブ２２がディスク記録及び／又は再生装置のディスクテーブル上にマグネットチャッキングされる。また、上記記録及び／又は再生用開口部３４を介して上記ディスク状記録媒体２の光ディスク２１に対してディスク記録及び／又は再生装置の光学ピックアップにより情報の記録及び／又は再生が行われる。
【００５１】
（５）カートリッジホルダの構成、
図５に示すように、上記カートリッジホルダ１０２は、略正方形状の上面板（天面板）１０２ａと、該上面板１０２ａの左右両側部を下方に向けて略直角に折り曲げることにより形成された左右の側面板（以下、第１，第２の側面板と称する）１０２ｂ，１０２ｃと、これら第１，第２の側面板１０２ｂ，１０２ｃの下端を内側に向けて略直角に折り曲げることにより形成されていて挿入されたディスクカートリッジ１の下面の左右両側部を支持する左右一対の第１、第２カートリッジ支持部１０２ｄ，１０２ｅおよび第２カートリッジ支持部１０２ｅよりも奥側に所定の間隔をもって設けられている舌片状の第３，第４カートリッジ支持部１０２ｆ，１０２ｇと、第１、第２カートリッジ支持部１０２ｄ，１０２ｅの前縁を下方に向けて折り曲げることにより形成された受け面部１０２ｈ，１０２ｉと、を備えている。そして、これら上面板１０２ａ、第１，第２の側面板１０２ｂ，１０２ｃ、左右一対のカートリッジ支持部１０２ｄ，１０２ｅ等によってディスクカートリッジ１の挿入口１０２ｎおよび収納部１０２ｐが形成されている。
【００５２】
上記上面板１０２ａの中央部には軽量化等を図るために亀甲形の開口部１１１が打ち抜き形成されている。上記上面板１０２ａの開口部１１１の左右両側部にはディスクカートリッジ挿入方向と略平行に左右一対の第１，第２の板バネ１１２，１１３が上記上面板１０２ａの一部を切り起こすことにより形成されている。これら第１，第２の板バネ１１２，１１３は、先端の自由端側が上記収納部１０２ｐ内に入り込むように屈曲されていて、上記収納部１０２ｐ内に挿入されたディスクカートリッジ１の上面を押圧して該ディスクカートリッジ１を上記第１〜第４カートリッジ支持部１０２ｄ〜１０２ｇに押し付ける。
【００５３】
また、上記上面板１０２ａの開口部１１１よりも前端側（挿抜口１０２ｎ側）には、中央部からディスクカートリッジ挿入方向と略直交する方向に向かって伸びる左右一対の第１，第２の板バネ１１４，１１５が上記上面板１０２ａの一部を切り起こすことにより形成されている。
【００５４】
図１１に拡大して示すように、第３，第４の板バネ１１４，１１５は、細長い板状の開閉蓋ポップアップ用のバネ部（以下、ポップアップバネと称する）１１６と、該ポップアップバネ１１６の一側部から分岐されてポップアップバネ１１６と平行に伸びる細長い板状のカートリッジ押え用のバネ部１１７（以下、カートリッジ押えバネと称する）と、を備えている。ポップアップバネ１１６の幅Ｗ１は、カートリッジ押えバネ１１７の幅Ｗ２よりも幅広に形成されている。
【００５５】
ポップアップバネ１１６は、長さ方向に伸びる刳り貫き部１１８によって所謂枠状に形成されていると共に、刳り貫き部１１８には梁部１１９が設けられている。梁部１１９は、カートリッジ押えバネ１１７の付根部分、即ちポップアップバネ１１６からカートリッジ押えバネ１１７が分岐されている部分の近傍に設けられている。
【００５６】
ポップアップバネ１１６の付根部１１６ａやカートリッジ押えバネ１１７の付根部１１７ａ或いは刳り貫き部１１８の端部１１８ａは、アール状に形成されて、これらポップアップバネ１１６やカートリッジ押えバネ１１７が撓んだときの応力が１箇所に集中するのを防止している。また、図１２に示すように、ポップアップバネ１１６は、付根部１１６ａにおいて緩やかなアールによって折り曲げられていてポップアップバネ１１６が撓んだときに応力が１箇所に集中するのを防止している。また、カートリッジ押えバネ１１７は、ポップアップバネ１１６の途中から上面板１０２ａに対して略平行或いはポップアップバネ１１６と平行に伸びている。
【００５７】
図１３、図１４に示すように、ポップアップバネ１１６の先端部１１６ｂは、カートリッジホルダ１０２を記録再生位置とカートリッジ挿抜位置の間で回動移動させるキャビネットのホルダカバー（以下、開閉蓋渡渉する）１１０の内面１１０ａに接触するようになっている。
【００５８】
カートリッジホルダ１０２内にディスクカートリッジ１を挿入して開閉蓋１１０を閉じると、図３に示すように、カートリッジホルダ１０２は、記録再生位置に移動する。そして、図１５に示すように、開閉蓋１１０の内面１１０ａでポップアップバネ１１６の先端部１１６ｂが押されてポップアップバネ１１６がディスクカートリッジ１側に撓む。ポップアップバネ１１６が撓むと、ポップアップバネ１１６の一側部から分岐されているカートリッジ押えバネ１１７の先端部１１７ａがディスクカートリッジ１の上面に接触してディスクカートリッジ１をカートリッジホルダ１０２のカートリッジ支持部に押し付ける。このとき、カートリッジ押えバネ１１７の反力により、ポップアップバネ１１６には捻れ方向の力が作用するが、ポップアップバネ１１６に設けた梁部１１９等によって、捻れ方向の力はポップアップバネ１１６の全域に分散されて、ポップアップバネ１１６が捻れ方向に塑性変形するのが阻止される。
【００５９】
上述のように、第１，第２の板バネ１１２，１１３の先端部と、第３，第４の板バネ１１４，１１５のポップアップバネ１１６及びカートリッジ押えバネ１１７のバネ力でディスクカートリッジ１を第１〜第４カートリッジ支持部１０２ｄ〜１０２ｇに押し付けた状態で記録再生が行われる。記録再生終了後に開閉蓋１１０を開くとカートリッジホルダ１０２は、カートリッジ挿抜位置に回動移動する。そして、図１３に示すように、ポップアップバネ１１６によりカートリッジホルダ１０２と開閉蓋１１０との間に所定のクリアランスＣを形成して、開閉蓋１１０の前面板１１０ｂによるカートリッジホルダ１０２のカートリッジ挿抜口１０２ｎの閉塞を解除して、カートリッジ挿抜口１０２ｎを開放する。
【００６０】
図１に示すように、カートリッジホルダ１０２の第１の側面板１０２ｂには上記第１の付勢部材１０６によるディスクカートリッジ１の排出に制動力を付与して上記ディスクカートリッジ１がカートリッジホルダ１０２から脱落するのを阻止するカートリッジ脱落防止部材２１１が切り起こし形成されている。上記カートリッジ脱落防止部材２１１は、カートリッジホルダ１０２のカートリッジ挿抜口１０２ｎ側に向かって伸びる弾性片部２１２と、該弾性片部２１２の先端部に設けられていてディスクカートリッジ排出時にディスクカートリッジ１の第１の側面３ｂに摺接する凸部２１３と、で構成されている。上記凸部２１３は、ディスクカートリッジ１のカートリッジホルダ１０２内への収納完了時においては、ディスクカートリッジ１の第１の側面３ｂに設けた第１の側圧解除用の凹部４１内に嵌合して、上記第１の側面３ｂに対して非接触状態になって側圧を解除する。
【００６１】
また、図１６に示すように、上記カートリッジホルダ１０２の第２の側面板１０２ｃのカートリッジ挿抜口１０２ｎ側の端部には、カートリッジ収納部１０２ｐ内に突出するカートリッジ挿入ガイド用の凸部２１４が設けられている。上記カートリッジ挿入ガイド用の凸部２１４は、上記カートリッジホルダ１０２の第２の側面板１０２ｃの厚み方向の略中央部に切り起こし形成されている。
【００６２】
カートリッジ挿入ガイド用の凸部２１４は、図１６に示すように、ディスクカートリッジ１を正規の姿勢でカートリッジホルダ１０２に挿入した場合に、ディスクカートリッジ１の一側面３ｃに設けたガイド溝４２内に導入される。そして、ディスクカートリッジ１が所定の位置まで挿入されると、カートリッジ挿入ガイド用の凸部２１４は、ガイド溝４２の先端部に連続して設けられた第２の側圧解除用の凹部４３内に位置してディスクカートリッジ１と非接触状態になる。
【００６３】
カートリッジ挿入ガイド用の凸部２１４は、ディスクカートリッジ１をカートリッジホルダ１０２内に挿入する際に、ディスクカートリッジ１の挿入をガイドすると共に、図１７に示すように、ディスクカートリッジ１の記録及び／又は再生用開口部３４にカートリッジホルダ１０２の第２カートリッジ支持部１０２ｅの端部１０２ｔや第３カートリッジ支持部１０２ｆ等が侵入して、これら第２カートリッジ支持部１０２ｅ等によりディスク状記録媒体の情報記録面がダメージを受けるのを防止する。
【００６４】
即ち、ディスクカートリッジ１がシャッターレスタイプのものである場合には、記録及び／又は再生用開口部３４が常に開放された状態になっているために、ディスクカートリッジ１をカートリッジホルダ１０２内に挿入する際などにおいて、ディスクカートリッジ１に何等かの理由で強い押し下げ力が加わった場合に、記録及び／又は再生用開口部３４にカートリッジホルダ１０２の第２カートリッジ支持部１０２ｅの端部１０２ｔや第３カートリッジ支持部１０２ｆ等が侵入して、これら第２カートリッジ支持部１０２ｅの端部１０２ｔ等によりディスク状記録媒体の情報記録面が傷付けられたり、或いはディスクカートリッジ１内のディスク状記録媒体の外周面が第２カートリッジ支持部１０２ｅに乗り上げたりする虞がある。カートリッジ挿入ガイド用の凸部２１４は、ガイド溝４２の上面４２ａに接触し、ディスクカートリッジ１の厚さ方向への動きを規制して、記録及び／又は再生用開口部３４にカートリッジホルダ１０２の第２カートリッジ支持部１０２ｅの端部１０２ｔや第３カートリッジ支持部１０２ｆ等が侵入して、第２カートリッジ支持部１０２ｅの端部１０２ｔ等によりディスク状記録媒体の情報記録面が傷付けられたり、ディスク状記録媒体の外周面が第３のカートリッジ支持部１０２ｆに乗り上げたりするのを防止する。
【００６５】
また、カートリッジ挿入ガイド用の凸部２１４は、ディスクカートリッジ１の誤挿入を防止する誤挿入防止部材としても作用する。即ち、ディスクカートリッジ１を表裏逆に挿入した場合にはカートリッジ挿入ガイド用の凸部２１４がディスクカートリッジ１の側面に当接してディスクカートリッジ１の更なる挿入を阻止する。また、ディスクカートリッジ１を前後逆に挿入した場合には、カートリッジ挿入ガイド用の凸部２１４がディスクカートリッジ１の第１の側圧解除溝４１の端面４１ａに当接してディスクカートリッジ１の更なる挿入を阻止する。なお、ディスクカートリッジ１の誤挿入は、上記カートリッジ挿入ガイド用の凸部２１４を設けない場合には、図５に示した、第３のカートリッジ支持部１０２ｆにより行うことも可能であるが、カートリッジ挿入ガイド用の凸部２１４は、第３のカートリッジ支持部１０２ｆよりもカートリッジ挿抜口１０２ｎに近い位置に設けられているので、カートリッジを誤挿入した場合に、より早い段階で更なるカートリッジの挿入を阻止することが出来る。
【００６６】
また、図５に示すように、上記第２の板バネ１１３とカートリッジホルダ１０２の第２の側面板１０２ｃとの間で、且つ上記カートリッジホルダ１０２に挿入されたディスクカートリッジ１のカートリッジ本体３の円弧状の前面３ａと上記カートリッジホルダ１０２の第２の側面板１０２ｃとの間の空間部、所謂デッドスペースに窪み状のイジェクトレバーロック解除機構取付部１０２ｊが形成されている。
【００６７】
図１０に示すように、上記イジェクトレバーロック解除機構取付部１０２ｊに臨む上記カートリッジホルダ１０２の第２の側面板１０２ｃには２個の円筒形のボス状の突起１０２ｒが形成されている。上記イジェクトレバーロック解除機構１０９は、上記取付部１０９ａに設けた突起嵌合穴１０９ｊに上記ボス状の突起１０２ｒを挿入するとともに、重合部１０９ｂを上記イジェクトレバーロック解除機構取付部１０２ｊの上面に重ね合わせ、上記弾性片部１０９ｃとイジェクトレバー操作部１０９ｄを上記カートリッジホルダ１０２内に挿入し、上記ボス状の突起１０２ｒの先端部をカシメて拡径することにより、上記カートリッジホルダ１０２に挿入されたディスクカートリッジ１とカートリッジ本体３の円弧状の前面３ａおよび側面３ｃとの間で形成される略三角形状のデッドスペースに取付けられている。
【００６８】
なお、図１に示すように、上記カートリッジホルダ１０２の第１，第２カートリッジ支持部１０２ｄ，１０２ｅには，一対の位置決め孔１２１が形成されていて、これら一対の位置決め孔１２１には、シャーシ１０３に設けた位置決めピン１２２が挿入される。また、上記カートリッジホルダ１０２の第１，第２の側面板１０２ｂ，１０２ｃの上記カートリッジ挿抜口と反対側の端部には、上記カートリッジホルダ１０２を次に説明するシャーシ１０３に回動可能に取付けるための一対の軸受孔１２３，１２４が設けられている。
【００６９】
（６）シャーシの構成、
図５に示すように、シャーシ１０３は、金属板によって略四角形状に形成されている。上記シャーシ１０３の四隅部にはダンパ取付部１３１が設けられていて、これらダンパ取付部１３１には、ゴム製のダンパ１３２が取付けられている。上記シャーシ１０３の左右の側部には、上記カートリッジホルダ１０２の第１，第２の側面板１０２ｂ，１０２ｃの外側に位置する左右の側壁１３３，１３４が設けられている、これら左右の側壁１３３，１３４の一端側には、上記カートリッジホルダ１０２を回動可能に取付けるための一対の軸受部１３５，１３６が設けられていて、これら軸受部１３５，１３６の内面に設けた軸１３７を上記カートリッジホルダ１０２の軸受孔１２１，１２２に挿入することにより上記カートリッジホルダ１０２をカートリッジ挿抜位置と記録再生位置の相互間で回動可能に支持している。
【００７０】
上記シャーシ１０３は、上記カートリッジホルダ１０２を記録再生位置に移動させたときに、上記カートリッジホルダ１０２の左右一対のカートリッジ支持部１０２ｄ，１０２ｅに設けた位置決め孔１２１に侵入する位置決めピン１２２を備えている。
【００７１】
（７）記録及び／又は再生装置の構成、
図５に示すように、記録及び／又は再生装置１０４は、上記ディスクカートリッジ１のディスク状記録媒体２を回転させるスピンドルモータ１５１と、上記ディスク状記録媒体２への情報の記録及び／又は再生を行なう光学ピックアップ１５２と、光学ピックアップ１５２を駆動するスレッドモータ１５３と、を備えている。
【００７２】
光学ピックアップ１５２は、対物レンズ駆動装置１７１と、該対物レンズ駆動装置１７１を上記ディスク状記録媒体２のディスク状記録媒体２の半径方向に移動させる移動台１７２と、を備えている。
【００７３】
上記移動台１７２は、第１の軸受部１７３と第２の軸受部１７４を備えている。上記第１の軸受部１７３には、リードスクリュー１７５が取付けられている。また、上記第２の軸受部１７４にはガイド部１７６が取付けられている。
【００７４】
上記リードスクリュー１７５は、上記シャーシ１０３の下面側において一対の軸受１７７によって回転可能に支持されている。また、上記ガイド部１７６は、アウトサート成形によりシャーシ１０３と一体に形成されている。上記リードスクリュー１７５の一端部にはウォームギヤ１８１が取付けられている。
【００７５】
図４に示すように、上記ウォームギヤ１８１は、上記シャーシ１０３の下面に軸１８２により回転自在に取付けられた第３のギヤ１８３と噛合している。
【００７６】
上記第３のギヤ１８３は、下端部に該第３のギヤ１８３よりも大径で、且つこれと同軸の第２のギヤ１８４を備えている。上記第２のギヤ１８４は、第１のギヤ１８５を介してスレッドモータ１５３により回転駆動される。
【００７７】
そして、上記スレッドモータ１５３で上記第１のギヤ１８５、第２のギヤ１８４、第３のギヤ１８３、ウォームギヤ１８１を介して上記リードスクリュー１７５を回転させると、上記移動台１７２は、上記ガイド部１７６でガイドされながら上記ピックアップ配置孔１４４内を移動して、上記該対物レンズ駆動装置１７１を上記ディスク状記録媒体２のディスク状記録媒体２の半径方向に移動させるようになっている。
（８）その他の構成、
上記実施例においては、浮き上がり防止部１０９ｅをイジェクトレバーロック解除機構１０９に設け、浮き上がり防止部１０９ｅをカートリッジホルダ１０２の下面に接触させる構成にした場合を示したが、浮き上がり防止部をカートリッジホルダに設けてもよい。また、実施例では、浮き上がり防止部をイジェクトレバーロック解除機構１０９と一体に形成した場合を示したが、浮き上がり防止部をイジェクトレバーロック解除機構１０９に取付ける構成にしてもよい。また、実施例では、イジェクトレバー１０５を回動させる場合を示したが、イジェクトレバー１０５は直線移動するものであっても良い。
（９）作用、
実施例のディスク記録及び／又は再生装置１０１は、上述のような構成であって、上記開閉蓋１１０を開けばカートリッジホルダ１０２は、上記開閉蓋１１０に追従して回動して上記カートリッジ挿抜位置に移動する。上記カートリッジ挿抜位置において上記カートリッジホルダ１０２にディスクカートリッジ１を挿入すれば、上述したように、カートリッジ本体３の前面３ａの中央部が上記イジェクトレバー１０５の被押圧部１０５ｃに当接し、該被押圧部１０５ｃを押圧する。
【００７８】
上記被押圧部１０５ｃが押圧されると、上記イジェクトレバー１０５は、上記第１の付勢部材１０６の付勢力に抗して回動し、ディスクカートリッジ１がカートリッジホルダ１０２内に完全に収納された状態になるとともに、上記イジェクトレバー１０５は、イジェクトレバーロック部材１０８によって戻り回動不可能に係止された状態になる。
【００７９】
ディスクカートリッジ１をカートリッジホルダ１０２内に完全に収納したのち、上記開閉蓋１１０を閉じればカートリッジホルダ１０２は、上記開閉蓋１１０に追従してカートリッジ挿抜位置から記録再生位置に移動する。上記カートリッジホルダ１０２がカートリッジ挿抜位置から記録再生位置に移動する際には、上記イジェクトレバーロック解除機構１０９の傾斜面部１０９ｆに上記イジェクトレバー１０５の被操作部１０５ｅの側面１０５ｈが接触して上記弾性片部１０９ｃを所謂逃げ方向に撓ませる。そして、上記傾斜面部１０９ｆの端部が上記イジェクトレバー１０５の被操作部１０５ｅの位置まで移動して来ると、上記傾斜面部１０９ｆと上記イジェクトレバー１０５の被操作部１０５ｅの側面１０５ｈの接触が外れて、上記弾性片部１０９ｃは、弾性復帰して上記係合部１０９ｇが上記イジェクトレバー１０５の被操作部１０５ｅの下面１０５ｉに係合する。
【００８０】
上記ディスクカートリッジ１の記録及び／又は再生終了後に、上記開閉蓋１１０でカートリッジホルダ１０２をカートリッジ挿抜位置に移動させれば、図８に示すように、上記係合部１０９ｇによって上記イジェクトレバー１０５の被操作部１０５ｅの下面１０５ｉが持ち上げられて、上記イジェクトレバーロック部材１０８による上記イジェクトレバー１０５の係止が解除されて上記イジェクトレバー１０５は、第１の付勢部材１０６の付勢力で回動して、ディスクカートリッジ１をカートリッジホルダ１０２から押し出す。
【図面の簡単な説明】
【００８１】
【図１】ホルダが挿抜位置に在るディスク記録及び／又は再生装置の斜視図。
【図２】ホルダにカートリッジを挿入したディスク記録及び／又は再生装置の斜視図。
【図３】ホルダが記録再生位置に在るディスク記録及び／又は再生装置の斜視図。
【図４】ディスク記録及び／又は再生装置を裏側から見た平面図。
【図５】ディスク記録及び／又は再生装置の分解斜視図。
【図６】Ａはイジェクトレバーロック解除機構の傾斜面部にイジェクトレバーの被操作部の側面が接触している状態を示す側面図、Ｂは同正面図、Ｃは同斜視図。
【図７】Ａは弾性片部が弾性復帰して係合部がイジェクトレバーの被操作部の下面に係合した状態を示す側面図、Ｂは同正面図、Ｃは同斜視図。
【図８】Ａは係合部によってイジェクトレバーの被操作部の下面が持ち上げられてイジェクトレバーロック部材によるイジェクトレバーの係止が解除された状態を示す側面図、Ｂは同正面図、Ｃは同斜視図。
【図９】イジェクトレバーロック解除機構の斜視図。
【図１０】イジェクトレバーロック解除機構を取付けた状態の断面図。
【図１１】ポップアップバネ部分の拡大図。
【図１２】図１１のＡ−Ａ断面図。
【図１３】ポップアップバネによって開閉蓋が押し上げられている状態の側面図。
【図１４】ポップアップバネによって開閉蓋が押し上げられている状態の正面図。
【図１５】開閉蓋が閉じられてポップアップバネが撓んだ状態の側面図。
【図１６】カートリッジ挿入ガイド用の凸部を設けた第１の側面から見たカートリッジホルダの斜視図。
【図１７】ディスクカートリッジの挿入過程を示すディスクカートリッジの底面図。
【図１８】ディスクカートリッジを収納した状態のディスクカートリッジの底面図。
【図１９】ディスクカートリッジの斜視図。
【図２０】ディスクカートリッジを底面側から見た斜視図。
【図２１】従来例の斜視図（ディスクカートリッジ挿入前）。
【図２２】従来例の斜視図（ディスクカートリッジ挿入後）。
【図２３】従来例の斜視図（カートリッジホルダの記録再生位置に移動後）。
【図２４】イジェクトレバーがロックされている状態の説明図。
【図２５】イジェクトレバーのロックが解除された状態の説明図。
【符号の説明】
【００８２】
１…ディスクカートリッジ、１０１…ディスク記録及び／又は再生装置、１０２…カートリッジホルダ、１０２ｃ…弾性片位置決め部、１０３…シャーシ、１０４…記録及び／又は再生装置、１０５…イジェクトレバー、１０６…第１の付勢部材、１０７…第２の付勢部材、１０８…イジェクトレバーロック部材、１０９…イジェクトレバーロック解除機構、１０９ａ…止着部、１０９ｂ…ホルダ重合部、１０９ｃ…弾性片部、１０９ｄ…イジェクトレバー操作部、１０９ｅ…浮き上がり防止部１０９ｆ…傾斜面部、１０９ｇ…係合部。
【図１】
2008041126.tif 000003
【図２】
2008041126.tif 000004
【図３】
2008041126.tif 000005
【図４】
2008041126.tif 000006
【図５】
2008041126.tif 000007
【図６】
2008041126.tif 000008
【図７】
2008041126.tif 000009
【図８】
2008041126.tif 000010
【図９】
2008041126.tif 000011
【図１０】
2008041126.tif 000012
【図１１】
2008041126.tif 000013
【図１２】
2008041126.tif 000014
【図１３】
2008041126.tif 000015
【図１４】
2008041126.tif 000016
【図１５】
2008041126.tif 000017
【図１６】
2008041126.tif 000018
【図１７】
2008041126.tif 000019
【図１８】
2008041126.tif 000020
【図１９】
2008041126.tif 000021
【図２０】
2008041126.tif 000022
【図２１】
2008041126.tif 000023
【図２２】
2008041126.tif 000024
【図２３】
2008041126.tif 000025
【図２４】
2008041126.tif 000026
【図２５】
2008041126.tif 000027